Podtech/llm-jp-corpus-v4-ja_patent huggingface dataset:
(57)【要約】      （修正有）【課題】安全ピン等を用いることなく、ずれるのを確実に防止できる腕章を提供する。【解決手段】腕章１を腕に巻いて、ホックの雄側部７と雌側部９とを連結して、本体３の端部どうしを連結する。腕章１を腕に装着した状態では、本体３は湾曲し、滑り止め部材１１が弛んで、浮動部１９の一部が内側に向かって突出する。この浮動部１９の突出部分が多数形成されて、被服の袖に当接する。これにより滑り止め部材１１が確実に、且つある程度の押圧力をもって袖に当接する。従って、滑り止め部材１１は滑り止めとしての機能を十分に発揮することができ、安全ピン等を用いなくても腕章１が不用意にずれてしまうのを確実に防止することができる。【選択図】図１
0003139605.tif 000002
【実用新案登録請求の範囲】
【請求項１】
柔軟性を有する材料によって構成された本体と、前記本体の表面側に設けられた表示部と、前記本体の両端部を連結して環状とする連結手段とを具備する腕章において、前記本体の裏面側に本体を腕に巻いた状態で装着位置がずれるのを防止する滑り止め部材が設けられていることを特徴とする腕章。
【請求項２】
請求項１に記載した腕章において、滑り止め部材はその一部分だけが本体の裏面に固定され、裏面に固定されていない浮動部を有しており、前記滑り止め部材の浮動部の一部は本体を湾曲させると内側に向かって突出することを特徴とする腕章。
【請求項３】
請求項１または２に記載した腕章において、滑り止め部材は柔軟性のある網状体に摩擦係数の大きい材料を付着させて構成されていることを特徴とする腕章。
【考案の詳細な説明】
【技術分野】
【０００１】
本考案は腕章に係り、特に腕に装着した状態で不用意にずれてしまうことがない腕章に関するものである。
【背景技術】
【０００２】
腕章は社会的に広く認知されており、腕に装着するだけで装着者の身分を表すことができることから官民問わず広く利用されている。
ところが、腕章を腕に通しただけで装着していると、ずれてしまい場合によっては腕から抜けてしまうおそれもある。そこで、安全ピン等を用いて腕章を洋服の袖に連結して、腕章がずれるのを防止している。
【考案の開示】
【考案が解決しようとする課題】
【０００３】
しかしながら、安全ピンを腕章に通して、更に洋服の袖に連結する作業は意外に面倒であるばかりか、安全ピンの針が腕に刺さる事故もあり得ないことではない。更に、腕章を安全ピンで袖に連結しても、何かの拍子に安全ピンがはずれてしまうおそれもある。
本考案は上記従来の問題点に着目して為されたものであり、安全ピン等を用いることなく、ずれるのを確実に防止できる腕章を提供することを、その目的とする。
【課題を解決するための手段】
【０００４】
本考案は上記課題を解決するためになされたものであり、請求項１の考案は、柔軟性を有する材料によって構成された本体と、前記本体の表面側に設けられた表示部と、前記本体の両端部を連結して環状とする連結手段とを具備する腕章において、前記本体の裏面側に本体を腕に巻いた状態で装着位置がずれるのを防止する滑り止め部材が設けられていることを特徴とする腕章である。
【０００５】
請求項２の考案は、請求項１に記載した腕章において、滑り止め部材はその一部分だけが本体の裏面に固定され、裏面に固定されていない浮動部を有しており、前記滑り止め部材の浮動部の一部は本体を湾曲させると内側に向かって突出することを特徴とする腕章である。
【０００６】
請求項３の考案は、請求項１または２に記載した腕章において、滑り止め部材は柔軟性のある網状体に摩擦係数の大きい材料を付着させて構成されていることを特徴とする腕章である。
【考案の効果】
【０００７】
本考案の腕章によれば、腕に巻き付けて装着するだけで、滑り止め部材が洋服の袖に接触して、腕章が不用意にずれるのを確実に防止することができる。
【考案を実施するための最良の形態】
【０００８】
本考案の実施の形態に係る腕章１を図面にしたがって説明する。
符号３はほぼ長方形の本体を示し、この本体３は柔軟性を有する合成樹脂のシートによって構成されている。本体３の表面側には表示部５が設けられており、この表示部５には「交通安全」等の所望の文字、図形等を表示する。
【０００９】
また、本体３の長手方向の一端部にはホックの雄側部７が２つ設けられ、他端部にはホックの雌側部９が２つ設けられている。これらホックの雄側部７、雌側部９によって連結手段が構成されている。
本体３の裏面側には滑り止め部材１１が設けられており、この滑り止め部材１１は柔軟性のある網状体１３に摩擦係数の大きい合成樹脂１５を付着させて構成されている。
【００１０】
滑り止め部材１１は本体３より多少短い長さ寸法を有し、また本体３の幅寸法とほぼ同じ幅寸法を有している。滑り止め部材１１は、その外周の縁部分１７だけが本体３の裏面に溶着され固定されている。従って、滑り止め部材１１の縁部分を除いた部分が本体３の裏面に固定されていない浮動部１９となっている。
腕章１は以上のように構成されている。
【００１１】
次に、この腕章１の使用方法、作用効果について説明する。
図２に示すように腕章１を腕に巻いて、ホックの雄側部７と雌側部９とを連結して、本体３の端部どうしを連結する。腕章１を腕に装着した状態では、図３に示すように本体３は湾曲し、滑り止め部材１１が弛んで、浮動部１９の一部が内側に向かって突出する。即ち、浮動部１９が波状に湾曲して多数の突出部分２０が多数形成されて、多数の突出部分２０が被服の袖Ｓに当接する。これにより滑り止め部材１１が確実に、且つある程度の押圧力をもって袖Ｓに当接する。従って、滑り止め部材１１は滑り止めとしての機能を十分に発揮することができ、安全ピン等を用いなくても腕章１が不用意にずれてしまうのを確実に防止することができる。
【００１２】
以上、本考案の実施の形態について詳述してきたが、具体的構成は、この実施の形態に限られるものではなく、本考案の要旨を逸脱しない範囲における設計の変更などがあっても考案に含まれる。
例えば、滑り止め部材は上記した構成のものに限定されず、被服の袖に対し十分な摩擦力を発揮するものあれば、いかなる構成であってもよい。
また連結手段はホックに限定されず、面ファスナ等を使用してもよい。
【産業上の利用可能性】
【００１３】
本考案は腕章の製造における産業で利用可能性を有している。
【図面の簡単な説明】
【００１４】
【図１】本考案の実施の形態に係る腕章の斜視図である。
【図２】図１の腕章を腕に装着した状態の斜視図である。
【図３】図２のＡ−Ａ断面図である。
【符号の説明】
【００１５】
１…腕章      ３…本体      ５…表示部
７…ホックの雄側部      ９…ホックの雌側部
１１…滑り止め部材      １３…網状体
１５…摩擦係数の大きい合成樹脂      １７…滑り止め部材の縁部分
１９…滑り止め部材の浮動部      ２０…浮動部の突出部分
Ｓ…被服の袖
【図１】
0003139605.tif 000003
【図２】
0003139605.tif 000004
【図３】
0003139605.tif 000005
(57)【要約】      （修正有）【課題】傘の中棒上部、止め鋲上部にライトを取り付け、点灯・点滅する事で夜間雨天時に周囲から早期の確認が容易になり、安全性が向上する事で交通事故等の減少に役立つ。【解決手段】止め鋲６の上部にアマテラス本体４を取り付け、多方向にライト光を照射する事で夜間雨天時の視認性を高める事で安全性が向上する。【選択図】図２
0003139679.tif 000002
【実用新案登録請求の範囲】
【請求項１】
本考案は、傘の中棒上部にライトを付ける事により夜間雨天時にて外部から早期発見確認でき安全性の向上を特徴とする、雨テラス。
【考案の詳細な説明】
【技術分野】
【０００１】本考案は、傘の中棒上部内側にライトを点ける事で夜間雨天時に効力を発揮する。
【背景技術】
【０００２】夜間雨天時に傘を使用する際、自動車の車内から歩行者を確認しにくい。
【考案の開示】
【考案が解決しようとする課題】
【０００３】傘にライトを点ける事で自動車、車内から歩行者への早期確認が増し安全性が向上する。
【問題を解決するための手段】
【０００４】本考案は傘中棒上部分に光源とするライトを点灯・点滅する事で夜間雨天時の際に外部から容易に確認識別出来る事で交通事故等の問題を早期確認が向上する事により安全性が増す。
【考案の効果】
【０００５】上述のように本考案は傘本体を光源とするもので、従来に見られる他の光源を利用する反射板等とは違い自己発光するもので早期の発見、確認ができ又、杖などにも取り付け可能で色々な用途が考えられる。
【考案の実施するための裁量の形態】
【０００６】傘の中棒内側上部に光源を取り付け、多方向に光を点灯・点滅し、夜間雨天時の歩行者への早期確認がとれ安全向上になり、現在市販されている傘に装着できる。
【実施例】
【０００７】止め鋲の上の部分に光源とする装置を取り付ける。
【図面の簡単な説明】
【０００８】
【図１】本考案のアマテラスの一部切欠側断面図である。
【図２】本考案アマテラス本体の取り付け位置である。
【符号の説明】
【０００９】１、骨
２、轆轤
３、中棒
４、アマテラス本体
５、配線
６、止め鋲
７、布
８、電球
９、電池
１０、プッシュオン・スイッチ
１１、電池留め具
１２、電池ケース
【図１】
0003139679.tif 000003
【図２】
0003139679.tif 000004
(57)【要約】      （修正有）【課題】会員カードにおいて、入会申込票と会員規則票が連結一体化しており、更に会員カードと会員規則票と入会申込票がそれぞれ切り離すことが出来るプラスチック製会員カードを提供する。【解決手段】会員カード１と入会申込票３および会員規則票２が連結一体化し、会員カードと入会申込票には同一のバーコード情報５が記載されており、それぞれが折り曲げて切り離すことが出来るようにし、会員カードと会員規則票は会員本人に渡し、入会申込書には会員の個人情報等を記入でき、カード発行元がそのまま会員台帳として使用することを可能にする。【選択図】図１
0003139673.tif 000002
【実用新案登録請求の範囲】
【請求項１】
一方の面にカードの名称や様々なデザインが印刷されており、他方の面にバーコード情報が印刷されている会員カードにおいて、同一の面に同一のバーコード情報が印刷されている入会申込票と、会員利用規則等が記載されている会員規則票が連結一体化されていることを特徴とするプラスチック製会員カード。
【請求項２】
請求項１の会員カードにおいて、連結一体化している入会申込票と会員規則票が容易に切り離すことができる会員カード。
【請求項３】
前記入会申込票には筆記適性のある領域を有することを特徴とする請求項１及び２に記載の会員カード。
【考案の詳細な説明】
【技術分野】
【０００１】  本考案は、会員であることを示すバーコート等の情報が印刷されているプラスチック製会員カードにおいて、入会申込票と会員規則票が分離されずに連結一体化している会員カードに関するものである。
【背景技術】
【０００２】  従来、特定の団体、企業等の会員になるべく入会申込を受け、会員カードを発行する場合、会員カードと会員の個人情報等を記入する紙製会員台帳は別々の体裁であり、会員カードのバーコード情報と会員台帳情報を取り違えることなく発行するのに難があった。
【考案の開示】
【考案が解決しようとする課題】
【０００３】  同一のバーコード情報を有する会員カードと入会申込票に加え、会員に通知する必要のある会員規則票を連結一体化し、それぞれが切り離せるようにすることにより会員カードと入会申込票の情報の不整合を防ぎ、会員カードと会員規則票は会員に渡し、入会申込票は会員台帳として利用できるプラスチック製会員カードを提供する。
【課題を解決するための手段】
【０００４】  本考案のプラスチック製会員カードは、一方の面にカードの名称を示すロゴやデザインが印刷されているが、他方の面にはバーコード情報が印刷されており、同一のバーコード情報は連結一体化している入会申込票にも印刷されている。更に会員への通知義務のある重要な記載事項の会員規則票も併せて設け、同様に連結一体化し、それぞれ切り離せる様にする。更に入会申込票には筆記適性を有する領域が設けてあり会員の個人情報等が容易に記入できる
【考案の効果】
【０００５】  上述の様に、本考案のプラスチック製会員カードは、カードと入会申込票それぞれに同一の管理用バーコード情報が記載されており、会員が入会を申し込む際に、会員の氏名、住所、生年月日等の個人情報を入会申込票に直接記入し、情報記入後に会員規則票と会員カードを、入会申込票から切り離し会員に渡す。会員は更に会員カードと会員規則票を切り離し、会員カードを携帯使用することが出来る。また、入会申込票はカード発行元が会員台帳として利用することが出来る。このように本考案の会員カードを使用すれば、会員情報のある会員台帳と会員カードは同一のバーコード情報を有しており、会員カードと会員台帳の不整合の問題は解決される。
【実施例】
【０００６】  以下、添付図面に従って一実施例を説明する。会員カード１は会員規則票２及び入会申込票３と連結一体化しており、直線的に切り込み４ａ，４ｂがそれぞれ設けられており会員カード１と会員規則票２と入会申込票３は折り曲げた後それぞれ切り離すことが出来る。会員カード１、会員規則票２、入会申込票３はプラスチック樹脂シートからなり、一方の同一な面に同一のバーコード情報が会員カード１及び入会申込票３に印刷されている。更に入会申込票３には氏名、住所、生年月日等の個人情報が記入できるように筆記適性を有する領域６を設けている。他方の面にはカードの名称やロゴ等が任意のデザインで印刷される。材料となるプラスチック樹脂シートは硬質塩化ビニル樹脂やポリエステル樹脂、ポリプロピレン樹脂、ポリカーボネート樹脂等が適し、厚さ０．１ｍｍから１ｍｍ程度のシートが望ましい。【０００７】  本考案の会員カードの利用方法は、入会希望者に氏名、住所、生年月日等の個人情報を入会希望票３の所定の箇所に記入させ、内容を確認した後に会員カード１と会員規則票２を切り込み線４ｂから切り離し会員に渡す。会員は更に会員カード１と会員利用規則票２を切れ込み線４ａから切り離し、必要に応じ会員カードを携帯使用する。また、入会申込票３は更にカード発行元で必要事項を記入後、会員台帳として使用するが、会員カード１と入会申込票３には同一のバーコード情報が印刷されており、会員情報管理が容易かつ正確に成される。【０００８】  会員規則票２には、カード発行元が会員に通知したい事項を利用規則以外にも記載することは無論可能であり、更にバーコード情報やその他必要に応じたデザイン等を活用しＰＲを図ることに応用できる。
【図面の簡単な説明】
【０００９】
【図１】本考案の会員カードの一実施例を示す表面図である。
【符号の説明】
【００１０】１・・・・・・会員カード
２・・・・・・会員規則票
３・・・・・・入会申込票
４ａ，４ｂ・・切り込み線
５・・・・・・バーコード
６・・・・・・個人情報等筆記欄
【図１】
0003139673.tif 000003
(57)【要約】      （修正有）【課題】高い集魚効果のある金属音を発することができるアルミ缶ルアーを提供する。【解決手段】アルミ缶を利用し作製したボディー部分２に木製もしくは金属製、あるいは合成樹脂製のヘッド部品３を取り付けたルアー本体であるが、ヘッド部品にライン結束部４とフック装着部５ａを設け、ボディー部分２にはフック装着部５ｂとブレイド装着部６を設け、そのブレイド装着部６に金属製のブレイド７を可動するように装着することにより、ルアーリトリーブ時、アルミ製のボディーと金属製のブレイドが当たり効果的な金属音を発生させることができる。【選択図】図１
0003139678.tif 000002
【実用新案登録請求の範囲】
【請求項１】
魚釣りに用いるルアーであって、アルミ缶の一部または全部を利用して作製したボディーに、金属製のブレイドを可動するように装着し、そのアルミ製のボディーと金属製のブレイドが、ルアーリトリーブ時に当たることにより、効果的な金属音を発生させる構造を有したルアー。
【考案の詳細な説明】
【技術分野】
【０００１】  本考案は釣りに用いられるルアーに関する。
【背景技術】
【０００２】  従来のルアーは合成樹脂でつくられるボディーを有した構造であり、金属製のブレイドが当たっても効果的な金属音を発することができなかった。
【考案の開示】
【考案が解決しようとする課題】
【０００３】  従来から存在するこの種のルアーはボディーが合成樹脂で成型されている為、高い集魚効果を得るための金属音を発生させることができず、金属製のボディーを作製するにはコストが高かった。
【課題を解決するための手段】
【０００４】  本考案はボディー部分にアルミ缶を利用することにより、効果的な金属音を発生させる事を可能にするとともに、コストダウンを図ることで問題を解決している
【考案の効果】
【０００５】  上述のように本考案のルアーは集魚効果を高めることはもちろん、エアゾール缶、マーカーペイントボディ、飲料缶などのアルミ缶を再利用する事も可能であり、リサイクルの観点からも効果的である。
【実施例】
【０００６】  以下、添付図面に従って一実施例を説明する。１はアルミ缶を利用し作製したボディー部分２に木製もしくは金属製、あるいは合成樹脂製のヘッド部品３を取り付けたルアー本体後方からの斜視図であるが、ヘッド部品にライン結束部分４とフック装着部分５ａを設け、ボディー部分２にはフック装着部分５ｂとブレイド装着部分６を設け、そのブレイド装着部分６に金属製のブレイド７を可動するように装着する。
【図面の簡単な説明】
【０００７】
【図１】本考案の一実施例を示すジグルアー本体後方からの斜視図である。
【符号の説明】
【０００８】１  ルアー本体
２  ボディーを形成するアルミ缶
３  ヘッド部品
４  ライン結束部
５ａ  フック装着部
５ｂ  フック装着部
６  ブレイド装着部
７  金属製ブレイド
【図１】
0003139678.tif 000003
(57)【要約】      （修正有）【課題】室内に入って帽子を取った時、小さく畳んでポケットやカバンに入れば、嵩張ることも無く折り畳める帽子の提供。【解決手段】帽子の屁の外周部にボタン付テープを取り付け、帽子の屁にボタン付テープを受け留めるボタン留めを設ける。帽子を折り畳んでボタン付テープを帽子頭部側面に設けたボタン留めに止めることによって小さく折り畳んだ状態が維持出来る。【選択図】図１
0003139676.tif 000002
【実用新案登録請求の範囲】
【請求項１】
本考案は帽子を小さく折り畳んで持ち運びに便利なように帽子の庇の外周部にボタン付テープを取り付け、帽子本体にこのボタン付テープを受け留める為のボタン留めを設けて、帽子を小さく折り畳んだ時、このボタン付テープのボタンを帽子本体に設けたボタン留に止めることによって帽子を小さく折り畳んだ状態が固定されることを特徴とした帽子。
【考案の詳細な説明】
【技術分野】
【０００１】使用しない時には小さく畳んで嵩張らないように出来る。
ポケットやカバンに入れ、持ち運びが便利になる。
【背景技術】
【０００２】従来より折り畳める帽子はあったが小さく折り畳むことが出来なかった。
【考案の開示】
【考案が解決しようとする課題】
【０００３】小さく折り畳んでもすぐに元にもどってしまう。
【課題を解決する為の手段】
【０００４】帽子の庇の外周部にボタン付テープを取り付け、帽子の庇にボタン付テープを受け留めるボタン留めを設ける。
帽子を折り畳んでボタン付テープを帽子頭部側面に設けたボタン留めに止めることによって小さく折り畳んだ状態が維持出来る。
【考案の効果】
【０００５】室内に入って帽子を取った時、小さく畳んでポケットやカバンに入れば嵩張ることも無くなる。
【考案を実施する為の最良の形態】
【０００６】図面によって説明する。
図２の５の部分を左から右に折り返す。図３の状態である。
図２の６の部分を右から左に折り返し、１の帽子の天井部分を下に折り返す。図４の状態である。
折り返した状態で上から折り畳んだ状態が図５である。
７のボタン付テープのボタンを２のボタンに止めた状態が図６である。図１の３のボタンは帽子として使用する時に不必要な４のボタン付テープを受け止めるボタンである。
【実施例】
【産業上の利用可能性】
【０００７】作業帽子として使用し、不必要な場合、折り畳んで収納できる。
【図面の簡単な説明】
【０００８】
【図１】帽子を左側面から見た図
【図２】帽子を右側面から見た図
【図３】帽子を左から折り畳む図
【図４】帽子を右から折り畳み、帽子の天井を折り返した図
【図５】折り畳んだ帽子を上部より下に折り返した図
【図６】帽子の庇に付いたボタン付テープを持ち上げて折り畳んだ部分の帽子頭部側面のボタン留めに止めた図
【符号の説明】
【０００９】１  帽子天井部分
２  帽子を折り畳んだ時にボタン付テープを受け止めるボタン
３  帽子を被る状態の時、不必要なボタン付きテープを受け止めるボタン
４  折り畳みの最後に止めるボタン付テープの表側
５  帽子を折り畳む左側面
６  帽子を折り畳む右側面
７  ボタン付テープの裏側
【図１】
0003139676.tif 000003
【図２】
0003139676.tif 000004
【図３】
0003139676.tif 000005
【図４】
0003139676.tif 000006
【図５】
0003139676.tif 000007
【図６】
0003139676.tif 000008
(57)【要約】      （修正有）【課題】帽子にゴムベルトを設け、ティ及びグリ−ンホ−クを収めることで身軽にゴルフコ−スでプレ−することができるようにする。【解決手段】帽子１に長さの違うティ３ａ，３ｂ，３ｃ及びグリ−ンホ−クに、それぞれ適合した間仕切りしたゴムベルト２に収めることで身軽にゴルフコ−スでプレ−ができ、ゴムの張力で脱落防止にもなる。【選択図】図１
0003139672.tif 000002
【実用新案登録請求の範囲】
【請求項１】
帽子にゴムベルトを設け、ゴルフ用のティ及びグリ−ンホ−クを、ゴムベルトに収めることを特徴とするティ・グリ−ンホ−ク取付帽子である。
【考案の詳細な説明】
【技術分野】
【０００１】  本考案は、長さの違うティ及びグリ−ンホ−クを容易に収めることのできる帽子である。
【背景技術】
【０００２】  ゴルフコ−スにてプレ−する場合、必需品である長さの違うティ及びグリ−ンホ−クをズボンのポケットに収め、必要に応じてその都度、ポケットより出し入れしていた。
【考案の開示】
【考案が解決しようとする課題】
【０００３】  長さの違うティ及びグリ−ンホ−クが、ズボンのポケットに収まっていることで、ポケットが脹らみ、選んでの取り出しは容易でない。又、雨具を着用しての取り出しも同様である。従って、帽子に収めることで一目瞭然であり、これらの欠点を解決しょうとするものである。
【課題を解決するための手段】
【０００４】  本考案は、帽子の外側の縁に沿った左右面にゴムベルトを設け、長さの違うティ及びグリ−ンホ−クに合わせて、ゴムベルトに間仕切りを施すことで、ティ及びグリ−ンホ−クが安定した状態を保つことができる。又、ゴムの張力により雨や風による脱落防止にもなる。
【考案の効果】
【０００５】  上述の様に、本考案のティ・グリ−ンホ−ク取付帽子は帽子にゴムベルトを設けたことでティ及びグリ−ンホ−クを容易に手に取ることができ、使用後は帽子のゴムベルトに収めることで身軽にプレ−することができる。
【考案の実施するための最良の形態】
【０００６】  帽子のゴムベルトは、間仕切りがあるので帽子の左右どちらかにティを順番に並べて収  める。又、反対側にはグリ−ンホ−クを収める。
【実施例】
【０００７】  添付図面に従って説明する。帽子１のゴムベルト２より、ティ３ａ，３ｂ，３ｃの何れかの長さを選んで上方向に取りだし、使用後は元に戻す。同様に反対側も、帽子のゴムベルト２ａよりグリ−ンホ−ク４を上方向に取りだし、使用後は元に戻す。
【図面の簡単な説明】
【０００８】
【図１】本考案のティ・グリ−ンホ−クの実施例を示す右側図面及び左側図面である。
【符号の説明】
【０００９】  １  帽子
２  ゴムベルト
３  ティ
４  グリ−ンホ−ク
【図１】
0003139672.tif 000003
(57)【要約】      （修正有）【課題】携帯電話機のテレビ表示画像等を容易に拡大して見ることができるとともに、製造容易、かつ、安価に得られる表示画面用レンズ装置を提供する。【解決手段】樹脂プレートから構成され、被視体の拡大機能を持つ面状レンズ２と、その面状レンズ２に一体に設けられる折り曲げ可能である支持脚３とを備え、支持脚３の基部が表示画面を持つ電子機器の一部に取り付けられ、支持脚３が伸び状態で面状レンズ２と面一に位置する際には面状レンズ２を電子機器の表示画面に近接する位置に相対配置し、支持脚３が折り曲げ状態とされる際には面状レンズ２を電子機器の表示画面から離反する位置に相対配置するように構成されてなる表示画面用レンズ装置。【選択図】図１
0003139675.tif 000002
【実用新案登録請求の範囲】
【請求項１】
樹脂プレートから構成され、被視体の拡大機能を持つ面状レンズと、その面状レンズに一体に設けられる折り曲げ可能である支持脚とを備え、
前記支持脚の基部が表示画面を持つ電子機器の一部に取り付けられ、
前記支持脚が伸び状態で前記面状レンズと面一に位置する際には前記面状レンズを前記電子機器の表示画面に近接する位置に相対配置し、
前記支持脚が折り曲げ状態とされる際には前記面状レンズを前記電子機器の表示画面から離反する位置に相対配置する、
ように構成されてなることを特徴とする表示画面用レンズ装置。
【考案の詳細な説明】
【技術分野】
【０００１】  この考案は、テレビ機能を持つ携帯電話機等において用いる表示画面用レンズ装置に関する。
【背景技術】
【０００２】  最近テレビ機能を持つ携帯電話機が普及している。一方、携帯電話機の軽量化、小型化が進み、したがって携帯電話機のテレビ画面となる表示画面を大きくすることには限界がある。小さな画面では画像が判別しにくく、また、長時間見ると疲れてしまう。このことは携帯電話機で各種ゲームを楽しむ場合にも同様にいえる。
【考案の開示】
【考案が解決しようとする課題】
【０００３】  この考案では、携帯電話機のテレビ表示画像等を容易に拡大して見ることができるとともに、製造容易、かつ、安価に得られる表示画面用レンズ装置を提供することを目的とする。
【課題を解決するための手段】
【０００４】  この考案では、樹脂プレートから構成され、被視体の拡大機能を持つ面状レンズと、その面状レンズに一体に設けられる折り曲げ可能である支持脚とを備え、前記支持脚の基部が表示画面を持つ電子機器の一部に取り付けられ、前記支持脚が伸び状態で前記面状レンズと面一に位置する際には前記面状レンズを前記電子機器の表示画面に近接する位置に相対配置し、前記支持脚が折り曲げ状態とされる際には前記面状レンズを前記電子機器の表示画面から離反する位置に相対配置するように構成されてなることを特徴とする表示画面用レンズ装置を提供する。【０００５】  この考案の表示画面用レンズ装置を用いることで、支持脚が折り曲げ状態とされ面状レンズが表示画面から離反する位置において支持される状態において、その面状レンズ部分で表示画面の拡大画像が見られる。面状レンズを使用しない場合は、支持脚が伸び状態とされることで表示画面用レンズ装置は表示画面沿う状態に納められる。
【考案の効果】
【０００６】  この考案の表示画面用レンズ装置を携帯電話機の表示画面部分等に装着使用することで、別途拡大レンズを用いたり、また、高価で複雑な取り付け構造を持ち非使用時に邪魔になるレンズ装置を用いることなく、容易に表示画面の拡大画像を見ることができるようになる。とくに、全体が樹脂プレートから構成されるので、製造容易に、安価に得られる利点がある。
【考案を実施するための最良の形態】
【０００７】図１はこの考案の表示画面用レンズ装置の非使用時の平面図、図２、図３はこの考案の表示画面用レンズ装置の使用状態斜視図である。【０００８】  表示画面用レンズ装置１はポリプロピレン等の若干厚みがあって弾力性を有する樹脂プレートから形成され、中央上部にフレネルレンズ構造の被視体の拡大機能を持つ面状レンズ２が設けられるとともに、両側部の下側に一対の支持脚３が一体に設けられて構成されている。支持脚３それぞれは切り込みＫそれぞれが設けられるとことで形成され、折り曲げ部Ａ、Ｂ、Ｃの３箇所で折り曲げ可能な構成とされ、その下端部が取り付け部４となっている。取り付け部４それぞれの裏面と、面状レンズ２の上角部の裏面には透明の粘着層７、８が設けられ、また、一方の側上部には指かけ部９が突出して設けられている。表示画面用レンズ装置１は、多数の面状レンズが並設された大型の樹脂プレートを裁断するとともに所定位置に切り込みＫを設けることにより製作する。【０００９】  上記表示画面用レンズ装置１の携帯電話機（電子機器）における使用について説明する。表示画面用レンズ装置１は図１に示すようなプレート形態で、かつ、粘着層７、８面に離形紙が貼られた状態で提供され、携帯電話機１０の所有者が携帯電話機１０に取り付けることで使用される。取り付けは、まず、粘着層７、８面から離形紙それぞれを剥がし、次に支持脚３それぞれの折り曲げ部Ａ、Ｂ、Ｃそれぞれを図２に示すような角度に折り曲げ、その状態において取り付け部４それぞれの粘着層７面を携帯電話機１０の表示画面１２の下部両側に貼り付ける。支持脚３それぞれは弾力性を持つことで面状レンズ２部分を表示画面１２上に略１ｃｍ程度離れた位置において支持する。このように面状レンズ２が表示画面１２に一定の間隔を持って離れて相対配置されることで、その面状レンズ２を通して表示画面１２上のテレビ画像等の拡大画像を見ることができる。【００１０】  携帯電話機１０を使用しないで表示画面１２上が携帯電話機１０の基体１４で覆われる際には、表示画面用レンズ装置１はその基体１４面に押され面一となって表示画面１２上に沿う状態となり、その際には粘着層８面が表示画面１２に貼り付く状態となる。したがって、次に電話をかけるべく基体１４を開いた際には、表示画面用レンズ装置１は、図３に示すように、表示画面１２上にとどまっており、この状態で表示画面用レンズ装置１が邪魔となることなく通話使用が行える。テレビ画像を見る際には、指かけ部９に指をかけることで粘着層８を表示画面１２から外す。これにより、支持脚３それぞれが弾力復帰することで面状レンズ２部分が浮き上がり、図２に示す状態となる。粘着層８は粘着層７より粘着力が小さくなるように設けておく。【００１１】  上記のように表示画面用レンズ装置１は、携帯電話機１０の非使用時、通話時等には邪魔となることがなく、必要時にのみその面状レンズ２が表示画面１２上の所定位置に配置されることで拡大したテレビ画像等を見ることができる。
【図面の簡単な説明】
【００１２】
【図１】この考案の表示画面用レンズ装置の非使用時の平面図
【図２】この考案の表示画面用レンズ装置の使用状態斜視図
【図３】この考案の表示画面用レンズ装置の使用状態斜視図
【符号の説明】
【００１３】１    表示画面用レンズ装置
２    面状レンズ
３    支持脚
１０  携帯電話機（電子機器）
１２  表示画面
【図１】
0003139675.tif 000003
【図２】
0003139675.tif 000004
【図３】
0003139675.tif 000005
(57)【要約】      （修正有）【課題】会員カードにおいて、入会申込票が連結一体化しており、更にカードと入会申込票が切り離すことが出来るプラスチック製会員カードを提供する。【解決手段】会員カード１と入会申込票２には同一のバーコード情報４を記載し、それぞれの情報登録が確実におこなえ、更にそれぞれを折り曲げて切り離せるようにし、会員カードは会員本人に渡し、入会申込書は会員の個人情報が記入できそのままカード発行元が会員台帳として使用することが可能になる。【選択図】図１
0003139674.tif 000002
【実用新案登録請求の範囲】
【請求項１】
一方の面にカードの名称や様々なデザインが印刷されており、他方の面にバーコード情報が印刷されている会員カードにおいて、同一の面に同一のバーコード情報が印刷されている入会申込票が連結一体化されていることを特徴とするプラスチック製会員カード。
【請求項２】
請求項１の会員カードにおいて、連結一体化している入会申込票が容易に切り離すことができる会員カード。
【請求項３】
前記入会申込票には筆記適性のある領域を有することを特徴とする請求項１及び２に記載の会員カード。
【考案の詳細な説明】
【技術分野】
【０００１】  本考案は、会員であることを示すバーコード等の情報が印刷されているプラスチック製会員カードにおいて、入会申込票が分離されずに連結一体化しておりそれぞれ切り離すことが出来る会員カードに関するものである。
【背景技術】
【０００２】  従来、特定の団体、企業等の会員になるべく入会申込を受け、プラスチック製会員カードを発行する場合、会員カードと会員の個人情報等を記入する紙製会員台帳は別々の体裁であり、会員カードのバーコード情報と会員台帳のバーコード情報を取り違えることなく発行管理するのに難があった。
【考案の開示】
【考案が解決しようとする課題】
【０００３】  同一のバーコード情報を有する会員カードと入会申込票を連結一体化し、それぞれ切り離せるようにすることにより、会員カードと入会申込票の情報の不整合を防ぎ、更に入会申込票を会員台帳として利用できるプラスチック製入会申込票付き会員カードを提供する。
【課題を解決するための手段】
【０００４】  本考案のプラスチック製入会申込票付き会員カードは、一方の面にカードの名称を示すロゴやデザイン等が印刷されているが、他方の面にはバーコード情報が印刷されており、同一のバーコード情報は連結され一体化している入会申込票にも印刷され、それぞれ切り離すことも出来る。更に入会申込票には筆記適性を有する領域が設けてあり会員の個人情報等が容易に記入できる。
【考案の効果】
【０００５】  上述の様に、本考案のプラスチック製入会申込票付き会員カードは、カードと申込票それぞれに同一の管理用バーコード情報が記載されており、会員が入会を申し込む際に、会員の氏名、住所、生年月日等の個人情報を入会申込票に直接記入をし、情報の記入後に入会申込票と会員カードを切り離し、会員カードは会員に渡し、入会申込票はカード発行元が会員台帳として利用する。このように本考案の入会申込票付き会員カードを使用すれば、会員情報のある会員台帳と会員カードは同一のバーコード情報を有しており、会員カードと会員台帳の不整合の問題は解決される。
【実施例】
【０００６】  以下、添付図面に従って一実施例を説明する。会員カード１は入会申込票２と連結一体化しており、直線的に切り込み３が設けられており会員カード１と入会申込票２は折り曲げた後切り離すことができる。会員カード１及び入会申込票２はプラスチック樹脂シートからなり、一方の同一な面に同一のバーコード情報４がそれぞれ印刷されており、更に入会申込票２には氏名、住所、生年月日等の個人情報が記入できるように筆記適性を有する領域５を設けている。他方の面にはカードの名称やロゴ等が任意のデザインで印刷される。材料となるプラスチック樹脂シートは硬質塩化ビニル樹脂やポリエステル樹脂、ポリプロピレン樹脂、ポリカーボネート樹脂等で、厚さ０．１ｍｍから１ｍｍ程度のシートが望ましい。【０００７】  本考案の入会申込票付き会員カードの利用方法は、入会希望者に氏名、住所、生年月日等の個人情報を入会申込票２の所定の箇所に記入させ、内容を確認後、会員カード１を切り込み線３から切り離し会員に渡す。入会申込票２は、更にカード発行元で必要事項を記入後、会員台帳として使用するが、会員カード１と入会申込票２には同一のバーコード情報４が印刷されているので、会員情報管理が容易にかつ確実に成される。
【図面の簡単な説明】
【０００８】
【図１】本考案の入会申込票付き会員カードの一実施例を示す表面図である。
【符号の説明】
【０００９】  １  会員カード
２  入会申込票
３  切り込み線
４  バーコード
５  個人情報等筆記欄
【図１】
0003139674.tif 000003
(57)【要約】【課題】  簡単な機構でありながら、遠隔の盗難目的物の、盗難防止が出来る事を提供する。【解決手段】  防犯ブザー（１）の内部のスイッチ作用を、リード線（２）により外部に出し、クリップスイッチ（３）を設けた、クリップスイッチ付き防犯ブザー。【選択図】図２
0003139666.tif 000002
【実用新案登録請求の範囲】
【請求項１】
防犯ブザー（１）の内部のスイッチ作用を、リード線（２）により外部に配線し、クリップスイッチ（３）を取り付けた、クリップスイッチ付き防犯ブザー。
【考案の詳細な説明】
【技術分野】
【０００１】  本考案は、防犯ブザーに関するものである。
【背景技術】
【０００２】  一般に防犯ブザーは、内部にスイッチを設け作動させて使用している。
【考案の開示】
【考案が解決しようとする課題】
【０００３】  本考案は以上の実情に鑑みて開発したものであって、目的とするところは、防犯ブザーの内部のスイッチを、リード線により外部にスイッチを設け、簡単な機構で、外部の遠隔にある盗難目的物の、盗難防止が出来る事を提供することにある。
【問題を解決するための手段】
【０００４】  前記した目的を達成するために、請求項１の記載の発明は、防犯ブザーの内部のスイッチ作用をリード線により外部に出し、クリップスイッチを取り付け、物体（通電不可）を挟む事で電流がＯＦになり、物体（通電不可）がクリップよりはずれると通電しＯＮとなり防犯ブザーが作動するものである。
【考案の効果】
【０００５】  クリップスイッチ付防犯ブザーの使用で、外部の遠隔にある盗難目的物の、盗難防止が出来る。
【考案を実施するための最良の形態】
【０００６】  使用に際しては、クリップスイッチ付防犯ブザー（１）のクリップスイッチ（３）に、物体（４）を挟んで電源を切る、物体（４）を外す事によりスイッチが入り防犯ブザー（１）が作動する事が出来るようにした。
【図面の簡単な説明】
【０００７】
【図１】実施形態を示す詳細図
【図２】実施形態を示す詳細図
【図３】クリップスイッチ詳細図
【符号の説明】
【０００８】    ▲１▼防犯ブザー
▲２▼リード線
▲３▼クリップスイッチ
▲４▼物体（通電不可）
【図１】
0003139666.tif 000003
【図２】
0003139666.tif 000004
【図３】
0003139666.tif 000005
(57)【要約】      （修正有）【課題】一年を通して屋内外の何処の場所でも慶事に違和感なく立てたり飾ったりすることが出来る鯉幟の提供。【解決手段】  鯉を形どった鯉幟本体１の頭部３と尾部４以外を白地とし、赤丸の図柄８を鯉幟本体１側部６の中央に設け、更に図柄８と尾部４間に表示欄９を設けると共に、慶祝の祝語１０を表示欄９に設ける。【選択図】図１
0003139669.tif 000002
【実用新案登録請求の範囲】
【請求項１】
鯉を形どった鯉幟本体の頭部と尾部以外を白地とし、赤丸の図柄を鯉幟本体側部の中央に設け、更に図柄と尾部間に表示欄を設けると共に、慶祝の祝語を表示欄に設けるようにしたことを特徴とする鯉幟。
【考案の詳細な説明】
【技術分野】
【０００１】  本考案は、祝日や生活上の慶事の時に慶祝として違和感なく飾れ、一年を通して必要な時に使用することが出来るようにした鯉幟に関するものである。
【背景技術】
【０００２】  鯉のぼりは古くから屋外に立て、座敷に人形や兜などを飾って男の子の五月節句を祝っていた。
現代の鯉のぼりは、戸外用と座敷用があり種類も父親の真鯉と母親の緋鯉と子供のカラー鯉などで、上から真鯉、緋鯉、カラー鯉の順で組合せたり或は真鯉だけを一本立てして飾ったりしている。
【考案の開示】
【考案が解決しようとする課題】
【０００３】  このような鯉のぼりも、五月節句以外に飾ることは殆ど無く、鯉のぼりの使用価値が薄らぎ持ち腐れとなるなど、鯉のぼりの使用上非常に不都合を感じていた。
【課題を解決するための手段】
【０００４】  本考案はこのような不都合を解消し、一年を通して屋内外の何処の場所でも慶事に相応しい雰囲気を持たせながら違和感なく飾ることが出来る鯉幟を提供せんとするものである。【０００５】  鯉を形どった鯉幟本体の頭部と尾部以外を白地とし、赤丸の図柄を鯉幟本体側部の中央に設け、更に図柄と尾部間に表示欄を設けると共に、慶祝の祝語を表示欄に設けるようにしたものである。【０００６】  使用に当たっては、従来の鯉のぼりと同じように屋内外の必要な場所に立てたり飾ったりすればよい。
このように本考案の鯉幟を使用しても、白地と祝語によって慶事の場所に相応しい雰囲気を持たせながら立てたり飾ったりすることが出来ると共に、、違和感もなく気持ち良く眺めていることが出来る。【０００７】  そして立てたり飾った鯉幟を眺めていると、白地に赤丸の図柄によって心が清らかになると共に、日の丸を連想し日本の国に意識が行き何となく愛国心を燃え上がらせてくれるようになる。
【考案の効果】
【０００８】  上述の如く本考案の請求項１は、一年を通して屋内外の何処の場所でも慶事に相応しい雰囲気を持たせながら違和感なく飾ることが出来ると共に、白地に赤丸の図柄によって日の丸を連想し日本の国に意識が行き何となく愛国心を燃え上がらせてくれるようになる等の特長があり実用上非常に優れた考案である。
【考案を実施するための最良の形態】
【０００９】  鯉を形どった鯉幟本体の頭部と尾部以外を白地とし、赤丸の図柄を鯉幟本体側部の中央に設け、更に図柄と尾部間に表示欄を設けると共に、慶祝の祝語を表示欄に設けるようにしたものである。
【実施例１】
【００１０】  図中１は鯉を形どった鯉幟本体であって、目２を設けた頭部３と尾部４を除く以外の背部５と側部６と腹部７を白地としている。
８は赤丸の図柄であって、前記側部６の中央に設けている。
９は慶事の祝語１０を表示する表示欄であって、該表示欄９内に慶祝の祝語１０を記入し、側部６の図柄８と尾部４間に設けている。
１１は祝事に相応しい模様であって、表示欄９の下方及び頭部３内側の下方に設けている。【００１１】  使用に当たっては、従来の鯉のぼりと同じように屋内外の必要な場所に立てたり飾ったりすればよい。
このように本考案の鯉幟を使用しても、背部５と側部６と腹部７の白地と祝語１０によって慶事の場所に相応しい雰囲気を持たせながら立てたり飾ったりすることが出来ると共に、、違和感もなく気持ち良く眺めていることが出来る。
そして立てたり飾った鯉幟を眺めていると、白地と赤丸の図柄８によって心が清らかになると共に、日の丸を連想し日本の国に意識が行き何となく愛国心を燃え上がらせるようになる。
【産業上の利用可能性】
【００１２】  一年を通して屋内外の何処の場所でも慶事に立てたり飾ったりする鯉幟として使用することが出来る。
【図面の簡単な説明】
【００１３】
【図１】  本考案実施例１の正面図である
【符号の説明】
【００１４】  １  鯉幟本体
３  頭部
４  尾部
５  背部
６  側部
７  腹部
８  図柄
９  表示欄
１０  祝語
【図１】
0003139669.tif 000003
(57)【要約】      （修正有）【課題】乗用車の内部に簡単に設置しておき、いつでもお米を炊いておにぎり等を作ることができるようにするための乗用車用簡易キッチンユニットである。【解決手段】１シンク部分、２簡易ガスカセットコンロ、３米びつ、４炊飯器、５炊飯器を収納する箱、６薬箱、７給水口、８排水口及び、９蛇口から構成する。  【選択図】図１
0003139663.tif 000002
【実用新案登録請求の範囲】
【請求項１】
１、金属または合成樹脂等でつくられたシンク部分と
２、簡易ボンベカセットガスコンロと
３、金属または合成樹脂等でつくられた米びつと
４、炊飯用鍋と
５、合成樹脂等でつくられており、その中に非常用常備薬等が収納されている薬箱
以上の各構成からなる乗用車用簡易キッチンユニット
【考案の詳細な説明】
【考案の詳細な説明】
【技術分野】
【０００１】  本考案は，災害時において食料が不足することに対処するために、通常使用する乗用車の内部に簡単に設置しておき、いつでもお米を炊いておにぎり等をつくることができるようにするための乗用車用簡易キッチンユニットである。
また、この簡易キッチンの中には米を保存しておくための米びつとすぐに使えるように炊飯器が内蔵されている。
また、食料を清潔に洗うためのシンクとすぐに調理ができるように簡易ガスカセットコンロが内蔵されており、また給排水口を備えている。
また、災害時に使用できるような常備薬を入れる薬箱を備えている。
【背景技術】
【０００２】  １、従来のキッチン付き自動車は大半がキャンピングカーのようなものであり、大掛かりなもので大変高価でもある。
２、従来のものは新車の段階からキッチン付きとなっており、通常使用する乗用車用になっていない。
【考案が解決しようとする課題】
【０００３】  以上のように，従来の技術ではいろいろな問題を抱えている。そこで本考案において，解決しようとする課題は次のようなものである。
１、災害時に食料を確保するためのキッチン設備が整っていない。
２、新車の時から大掛かりなキャンピングカーのような自動車は大きくて広いガレージが必要でまた高価で日常の乗用車として適さない。
【課題を解決するための手段】
【０００４】  本考案は，この課題を解決するという目標を達成するために次のような手段を講じる。
１、日常使用している乗用車を利用する。
２、簡易キッチンをユニットとする。
３、キッチン上部にシンクと簡易ガスカセットコンロを配置し、下部に米びつと炊飯器と薬箱を収納しておく。
【考案を実施するための最良の形態】
【０００５】  本考案のもっとも好ましい実施の形態を添付図の図１に基づいて説明する。
図１において，１はシンク部分である。２は簡易ガスカセットコンロである。３は米びつである。４は炊飯器である。５は炊飯器を収納する箱である。６は薬箱である。７は給水口である。８は排水口である。９は蛇口である。
【考案の効果】
【０００６】  本考案による乗用車用簡易キッチンユニットを通常使っている乗用車に設置することにより，次のような効果がある。
１、通常使用している乗用車を災害時等にすぐにキッチンとして使用することができる。
２、通常使用している乗用車にこの乗用車用簡易キッチンユニットを設置することができるので新車のキャンピングカーをおくための大きなガレージを必要としなく、また内部に簡易キッチンユニットを備えるので全体の費用も安くてすむ。
【図面の簡単な説明】
【０００７】
【図１】  本考案による乗用車用トイレ・バスユニットを斜め上から見たときの完成図である。
【符号の説明】
【０００８】１……シンク部分、２……簡易ガスカセットコンロ、３……米びつ、４……炊飯器、５……炊飯器を収納する箱、６……薬箱、７……給水口、８……排水口、９……蛇口
【図１】
0003139663.tif 000003
(57)【要約】      （修正有）【課題】エンジンと出力軸が直線でのみ連結される。【解決手段】エンジン５とトランスミッション２を分離し、トランスミッションの入力軸３と出力軸４に角度を持たせることでこの課題を解決する。【選択図】図３
0003139639.tif 000002
【実用新案登録請求の範囲】
【請求項１】
入力軸と、出力軸に角度を持たせた偏芯トランスミッション。
【考案の詳細な説明】
【技術分野】
【０００１】  本考案は、船舶に使用する偏芯トランスミッションに関する。
【背景技術】
【０００２】  従来のトランスミッションは、入力軸と推進軸が直線上で連結されていた。（図２）
【考案の開示】
【考案が解決しようとする課題】
【０００３】  しかし、これでは、推進軸の延長線上にエンジンを配置することしかできない。このため船体と推進軸の角度を小さくすると、エンジンが船体の前方に位置することとなる。
【課題を解決するための手段】
【０００４】  そこで、入力軸と推進軸に角度持たせたトランスミッションを考案した。（図１）
【考案の効果】
【０００５】  よって、本考案の偏芯トランスミッションによりトランスミッションの後方にエンジンを配置することができるため、従来より長い貨物室が確保できる。また、船体に偏芯トランスミッションを固定するため、エンジンの配置にかかわらず、エンジンを防振架台に固定できる。。
【考案を実施するための最良の形態】
【０００６】  本考案に係る偏芯トランスミッションは、図１に示すよう傘型ギアにより動力を伝達する。推進力は偏芯トランスミッションを介して船体に伝わるため、船体に堅牢に偏芯トランスミッションを固定する必要がある。素材は、鋼製とすることが望ましい。
【図面の簡単な説明】
【０００７】
【図１】  本考案に係る偏芯トランスミッションの図である。
【図２】  従来のトランスミッションを船舶に取り付けた図である。
【図３】  本考案に係る偏芯トランスミッションを船舶に取り付けた図である。
【符号の説明】
【０００８】  １      傘型ギア
２      偏芯トランスミッション
３      入力軸
４      出力軸
５      エンジン
６      従来のトランスミッション
７      前方の場合のエンジン位置
【図１】
0003139639.tif 000003
【図２】
0003139639.tif 000004
【図３】
0003139639.tif 000005
(57)【要約】      （修正有）【課題】フィルムの表面の抵抗値が平均化され、全フィルム表面の各点の電流量は平均化し発熱が一定となるようにする。【解決手段】銀ペースに挟まれた炭素抵抗フィルム平面に於いて接続点を対角の位置に配置した炭素抵抗フィルム。【選択図】図１
0003139633.tif 000002
【実用新案登録請求の範囲】
【請求項１】
図１に示す銀ペースに挟まれた帯状炭素電気抵抗フイルムを使用する時、電源＋−はお互いに逆の側ターミナルに接続する事を特徴とする炭素抵抗フイルム。
【考案の詳細な説明】
【考案に属する技術分野】
【０００１】  電気発熱炭素抵抗フイルムは低電圧使用の時互いに平行に印刷された、銀ペース（導電塗料）に挟まれた、炭素抵抗体となる。
【背景技術】
【０００２】  ０００１の時若し同じ方向の電極にリード線＋−を接続すると。
【考案の開示】
【考案が解決しようとする課題】
【０００３】  ０００２の時帯状炭素被膜は接続電極に近い側が銀ペース線の抵抗の為電流が多くなりフイルムの発熱が偏る事になる。
【課題を解決するための手段】
【０００４】  フイルムの温度を偏らせないように、電極をお互いに逆の電極に接続すれば良い。
【考案の効果】
【０００５】  ０００４の時フイルムの表面の抵抗値は平均化され、全フイルム表面の各点の電流量は平均化し発熱が一定となる。
【考案の実施するための最良の形態】
【０００６】電極えの接続は銀ペース電極に銅線をハトメ圧縮して付ける。
【実施例１】
【０００７】図１に示したポリエステルフイルムに印刷された炭素抵抗体。
【図面の簡単な説明】
【０００８】
【図１】に示したポリエステルフイルムに帯状の炭素導電塗料（電気抵抗）を印刷し平行間隔に印刷された銀ペース（導電塗料）を印刷された、フイルム
【符号の説明】
【０００９】Ａ  印刷された炭素被膜（抵抗塗料）
Ｂ  印刷された銀ペース（導電塗料）
Ｃ  ＋リード線
Ｄ  −リード線
Ｅ  接続点
Ｆ  接続点
【図１】
0003139633.tif 000003
【手続補正書】
【提出日】平成19年10月18日(2007.10.18)
【手続補正１】
【補正対象書類名】実用新案登録請求の範囲
【補正対象項目名】全文
【補正方法】変更
【補正の内容】
【実用新案登録請求の範囲】
【請求項１】
銀ペースに挟まれた炭素抵抗フイルム平面に於いて接続点を対角の位置に配置した事を特徴とする炭素抵抗フイルム
(57)【要約】      （修正有）【課題】まな板を使用する調理の際の安定性安全性を確保した上で、まな板の移動、洗浄の際の保持を容易にする。【解決手段】まな板本体の左右両側下部に切削による持ち手部分を設けるものであり、調理のための部分を安全に確保し、かつ持ち上げや移動を容易にする。【選択図】図１
0003139634.tif 000002
【実用新案登録請求の範囲】
【請求項１】
ユニバーサルデザインによる持ち手部分を設けたまな板
【考案の詳細な説明】
【技術分野】
【０００１】  本考案は、切削による持ち手を設けた、まな板に関するものである。
【背景技術】
【０００２】  一般的なまな板は、長さ３０−６０ｃｍ、幅１５−３０ｃｍ、厚さ１５−３０ｍｍ程度の板状になっている。そのため、まな板を移動させる時や、調理使用後の洗浄のために保持する際など特に重量のある場合は持ちづらくなっている。また、底面と調理台に隙間がないため引っかかりがないため、特に比較的握力の弱い使用者にとり持ち上げることが困難な場合が発生している。
【考案の開示】
【考案が解決しようとする課題】
【０００３】調理の際に使用する上面の範囲および安全性、まな板本体の設置の際の安定性を損なうことなく、持ち上げ、または持ちやすくして移動・保持の際の負担を軽減しようとするものである。
【課題を解決するための手段】
【０００４】長方形のまな板の短辺二箇所の下部に切削による持ち手部分を設ける。
【考案の効果】
【０００５】上述の持ち手を左右同時に持つことにより、材料を載せたまな板をそのまま水平に保持することができるので、移動が容易である。まな板の両端下部に指を差し込むことで比較的握力の弱い使用者においても持ち上げることが容易となることで調理を安全に効率よく実施することが可能となる。
【考案の実施するための最良の形態】
【０００６】まな板の短辺の幅の約３分の２にあたる１０−２０ｃｍの長さにわたり、厚さ７−１０ｍｍ程度の切削を底面側に短辺の中心から左右対称となるように設ける。切削の奥行きは使用者の指の第２関節の凡その長さを想定して３０−５０ｍｍ程度とする。
【実施例】
【０００７】以下、添付図面に従って実施例を説明。図１ｂのようにまな板の底面において両側から持ちやすいように切削による持ち手を設けている。【０００８】図１ｃに示すように遇角部は短辺の約３分の１程度を切削せずに残すことで、まな板使用時の安定性を確保している。【０００９】図２のように短辺を弧状に加工し調理した材料を皿、ボウルなどに落とし込みやすくした場合でも、同様に持ち手のための切削加工を施すことによりまな板自体を移動したり角度を変えて調理する際の利便性を向上した。
【図面の簡単な説明】
【００１０】
【図１】ａは、本考案の持ち手付まな板の平面図である  ｂは、底面図である  ｃは、短辺方向から見た図である
【図２】ａは本考案の持ち手付まな板の短辺を弧状に加工した場合の平面図である  ｂは、同形状の場合の底面図である
【図１】
0003139634.tif 000003
【図２】
0003139634.tif 000004
【手続補正書】
【提出日】平成19年10月4日(2007.10.4)
【手続補正１】
【補正対象書類名】実用新案登録請求の範囲
【補正対象項目名】全文
【補正方法】変更
【補正の内容】
【実用新案登録請求の範囲】
【請求項１】
まな板本体の両端縁中央の下面に、切削による持ち手部分を備えることを特徴とするまな板。